(57)【特許請求の範囲】
【請求項１】
内部に弾丸が挿入される筒状の単位カートリッジと、
単位カートリッジ相互が連結されて、単位カートリッジが連続するカートリッジ群と、
を備え、
単位カートリッジは、２個の筒状を有しており、筒状の先端側は、外周は小径とされて、隣接する単位カートリッジの筒状先端側にコネクタが嵌められて連結されてカートリッジ群を形成し、
カートリッジ群は、カートリッジ移動手段により移動されるエアガン用カートリッジ。
【請求項２】
内部に弾丸が挿入され、外周に係止部を設けられた筒状の単位カートリッジと、
単位カートリッジ相互が連結されて、単位カートリッジが連続するカートリッジ群と、
を備え、
単位カートリッジは、２個の筒状を有しており、筒状の先端側は、外周は小径とされて、隣接する単位カートリッジの筒状先端側にコネクタが嵌められて連結されてカートリッジ群を形成し、
カートリッジ群は、係止部に係止されるカートリッジ移動手段により移動されるエアガン用カートリッジ。
【請求項３】
内部に弾丸が挿入される筒状の単位カートリッジと、
単位カートリッジ相互が連結されて、単位カートリッジが連続するカートリッジ群と、
カートリッジ群を収納させるマガジンケースと、
を備え、
単位カートリッジは、２個の筒状を有しており、筒状の先端側は、外周は小径とされて、隣接する単位カートリッジの筒状先端側にコネクタが嵌められて連結されてカートリッジ群を形成し、
カートリッジ群は、カートリッジ移動手段により移動されるエアガン用カートリッジ。
【請求項４】
内部に弾丸が挿入される筒状の単位カートリッジと、
単位カートリッジ相互が連結されて、単位カートリッジが連続して帯状とするカートリッジ群と、
カートリッジ群を収納させるマガジンケースと、
を備え、
単位カートリッジは、２個の筒状を有しており、筒状の先端側は、外周は小径とされて、隣接する単位カートリッジの筒状先端側にコネクタが嵌められて連結されてカートリッジ群を形成し、
カートリッジ群は、カートリッジ移動手段により移動されるエアガン用カートリッジ。
【請求項５】
隣接する単位カートリッジの双方を嵌めて結合するコネクタにより連結されてカートリッジ群を形成する、請求項１又は請求項２又は請求項３又は請求項４のいずれかに記載のエアガン用カートリッジ。
【請求項６】
隣接する単位カートリッジ相互を順次嵌めて結合することにより連結されてカートリッジ群を形成する、請求項１又は請求項２又は請求項３又は請求項４のいずれかに記載のエアガン用カートリッジ。
【請求項７】
単位カートリッジは、２個の筒状を有しており、隣接する単位カートリッジの筒状を順次嵌め合わせて結合することにより連結されてカートリッジ群を形成する、請求項１又は請求項２又は請求項３又は請求項４のいずれかに記載のエアガン用カートリッジ。
【請求項８】
カートリッジ移動手段は、マガジンケースに取り付けられる、請求項１又は請求項２又は請求項３又は請求項４又は請求項５のいずれかに記載のエアガン用カートリッジ。
【発明の詳細な説明】
【技術分野】
【０００１】
本発明は、エアガンに係る。詳細には、エア以外の気体の使用も含むエアガンにＢＢ弾等の弾丸を供給するエアガンの給弾機構に係る。更に詳細には、エアガン用カートリッジに係る。
【背景技術】
【０００２】
従来のエアガンにＢＢ弾等の弾丸を供給するエアガンの給弾機構としては、例えば、特許文献１図９以下に図示されるものが知られている（特許文献１  米国特許第７，９６３，２８０号）。特許文献１図９以下に図示されるエアガンの給弾機構では、特許文献１ロータリークリップ２は円板状からなり、特許文献１ロータリークリップ２の外周にそって周囲に特許文献１穴２１が複数個設けられる。特許文献１穴２１にはそれぞれ、弾丸Ｗが挿入される。
特許文献１ロータリークリップ２は、同エアガンメインボディ１に取り付けられている。
【０００３】
特許文献１ロータリークリップ２は、同エアガンメインボディ１に取り付けられているため、装弾特許文献１穴２１に弾丸Ｗを挿入するには、特許文献１ロータリークリップ２を回転させながら弾丸Ｗを一発づつ穴２１に挿入する。
特許文献２記載のprojectile support(2)では、エンドレス状のtransport belt(4)にそれぞれ複数個が取り付けられていた。
【先行技術文献】
【特許文献】
【０００４】
【特許文献１】米国特許第７，９６３，２８０号公報
【特許文献２】米国特許第７，７６５，９９７号公報
【発明の概要】
【発明が解決しようとする課題】
【０００５】
特許文献１（米国特許第７，９６３，２８０号公報）記載発明は、特許文献１ロータリークリップ２は、同メインボディ１に取り付けられているため、特許文献１穴２１に弾丸Ｗを挿入するには、特許文献１ロータリークリップ２を回転しながら、弾丸Ｗを一発一発穴２１に挿入する必要があるが、その弾丸Ｗ挿入作業が手間である課題を有した。
特許文献２（米国特許第７，７６５，９９７号公報）記載発明では、特許文献２projectile support(2)を複数個連続させるためには、エンドレス状の特許文献２transport belt(4)に、複数個の特許文献２projectile support(2)をそれぞれ取り付ける必要があり、特許文献２projectile support(2)とは別に、エンドレス状のベルトを別途必要とする課題を有した。
更に、特許文献２projectile support(2)に同projectiles(3)を挿入するには、特許文献2transport belt(4)を回転しながら、同projectiles(3)を一発一発同projectile support(2)に挿入する必要があるが、同projectiles(3)挿入作業が手間である課題を有した。
【０００６】
本発明の目的は、エンドレス状のベルトであるtransport belt(4)を別途に使用することなく、カートリッジ相互を取り付けることで、カートリッジ群を形成することにある。更に、カートリッジへの弾丸の装弾の手間を容易とすることである。
【課題を解決するための手段】
【００１１】
本発明のエアガン用カートリッジは、
内部に弾丸が挿入される筒状の単位カートリッジと、
単位カートリッジ相互が連結されて、単位カートリッジが連続するカートリッジ群と、
を備え、
単位カートリッジは、２個の筒状を有しており、筒状の先端側は、外周は小径とされて、隣接する単位カートリッジの筒状先端側にコネクタが嵌められて連結されてカートリッジ群を形成し、
カートリッジ群は、カートリッジ移動手段により移動される。
【００１２】
本発明のエアガン用カートリッジは、
内部に弾丸が挿入され、外周に係止部を設けられた筒状の単位カートリッジと、
単位カートリッジ相互が連結されて、単位カートリッジが連続するカートリッジ群と、
を備え、
単位カートリッジは、２個の筒状を有しており、筒状の先端側は、外周は小径とされて、隣接する単位カートリッジの筒状先端側にコネクタが嵌められて連結されてカートリッジ群を形成し、
カートリッジ群は、係止部に係止されるカートリッジ移動手段により移動される。
【００１３】
あるいは、本発明のエアガン用カートリッジは、
内部に弾丸が挿入される筒状の単位カートリッジと、
単位カートリッジ相互が連結されて、単位カートリッジが連続するカートリッジ群と、
カートリッジ群を収納させるマガジンケースと、
を備え、
単位カートリッジは、２個の筒状を有しており、筒状の先端側は、外周は小径とされて、隣接する単位カートリッジの筒状先端側にコネクタが嵌められて連結されてカートリッジ群を形成し、
カートリッジ群は、カートリッジ移動手段により移動される。
【００１４】
あるいは、本発明のエアガン用カートリッジは、
内部に弾丸が挿入される筒状の単位カートリッジと、
単位カートリッジ相互が連結されて、単位カートリッジが連続して帯状とするカートリッジ群と、
カートリッジ群を収納させるマガジンケースと、
を備え、
単位カートリッジは、２個の筒状を有しており、筒状の先端側は、外周は小径とされて、隣接する単位カートリッジの筒状先端側にコネクタが嵌められて連結されてカートリッジ群を形成し、
カートリッジ群は、カートリッジ移動手段により移動される。
【００１５】
あるいは、更に、本発明のエアガン用カートリッジは、
隣接する単位カートリッジの双方を嵌めて結合するコネクタにより連結されてカートリッジ群を形成する、
を備える。
【００１７】
あるいは、更に、本発明のエアガン用カートリッジは、
隣接する単位カートリッジ相互を順次嵌めて結合することにより連結されてカートリッジ群を形成する、
を備える。
【００１８】
あるいは、更に、本発明のエアガン用カートリッジは、
単位カートリッジは、２個の筒状を有しており、隣接する単位カートリッジの筒状を順次嵌め合わせて結合することにより連結されてカートリッジ群を形成する、
を備える。
【００１９】
あるいは、更に、本発明のエアガン用カートリッジは、
カートリッジ移動手段は、マガジンケースに取り付けられる、
を備える。
【発明の効果】
【００２０】
本発明によれば、弾丸が挿入される単位カートリッジを、相互に回動自在に連結することでカートリッジが連続するカートリッジ群を形成する。そのため、別途の部材を必要とすること無く、カートリッジは変形自在に連結され、カートリッジ群は変形自在である。
更に、本発明によれば、カートリッジへの弾丸の装弾の手間を容易とすることが可能となる。
【図面の簡単な説明】
【００２１】
【図１】この発明の実施の形態に係る第１実施例に係るエアガンのマガジンケースの正面図である。
【図２】この発明の実施の形態に係る第１実施例に係るエアガンのマガジンケースをマガジンスタンドに収納した状態の正面図である
【図３】この発明の実施の形態に係る第１実施例に係るエアガンのマガジンケースの側面図である。
【図４】この発明の実施の形態に係る第１実施例に係るエアガンのマガジンケースの側面図であって、図３に図示される状態から蓋を開口させた状態の側面図である。
【図５】この発明の実施の形態に係る第１実施例に係るエアガンのマガジンケースの正面図であって、蓋を開口したマガジンケースへのカートリッジ群の収納及び取り出しをあらわす図である。
【図６】この発明の実施の形態に係る第１実施例に係るエアガンのカートリッジ群を収納した状態のマガジンケースの正面断面図である。
【図７】この発明の実施の形態に係る第１実施例に係るエアガンのマガジンケースの側面中央断面図である。
【図８】この発明の実施の形態に係る第１実施例に係るエアガンの単位カートリッジの斜視図である。
【図９】この発明の実施の形態に係る第１実施例に係るエアガンのカートリッジ群の一部拡大斜視図である。
【図１０】この発明の実施の形態に係る第２実施例に係るエアガンの単位カートリッジの斜視図である。
【図１１】この発明の実施の形態に係る第２実施例に係るエアガンのカートリッジ群の斜視図である。
【図１２】この発明の実施の形態に係る第３実施例に係るエアガンのカートリッジ群の斜視図である。
【図１３】この発明の実施の形態に係る第３実施例に係るエアガンのマガジンケースをマガジンスタンドに収納した状態の斜視図である
【図１４】この発明の実施の形態に係る第３実施例に係るエアガンのマガジンケースの側面図である。
【図１５】この発明の実施の形態に係る第３実施例に係るエアガンのカートリッジ群を収納した状態のマガジンケースの正面断面図である。
【図１６】この発明の実施の形態に係る第３実施例に係るエアガンの単位カートリッジの斜視図である。
【図１７】この発明の実施の形態に係る第３実施例に係るエアガンの単位カートリッジの斜視図である。
【図１８】この発明の実施の形態に係る第４実施例に係るエアガンの単位カートリッジの斜視図である。
【図１９】この発明の実施の形態に係る第４実施例に係るエアガンのカートリッジ群の一部拡大斜視図である。
【図２０】この発明の実施の形態に係る第５実施例に係るエアガンの単位カートリッジの斜視図である。
【図２１】この発明の実施の形態に係る第５実施例に係るエアガンのカートリッジ群の斜視図である。
【発明を実施するための形態】
【００２２】
この発明の実施の一形態に係る実施例を、この発明の第１実施例を図示する図面である図１乃至図９に基づいて説明する。
【００２３】
１１は、マガジンケースである。マガジンケース１１は、この実施例では長円形からなる。マガジンケース１１は、中空状からなる。マガジンケース１１の内部には、図６に図示するように外周に沿って中空状に設けられた、カートリッジ群収納部１２と、カートリッジ収納部１２よりも内側に壁状に設けられて、カートリッジ収納部１２と中心部とを区分するカートリッジ群ガイド１３とを有する。カートリッジ群収納部１２の幅は、収納されるカートリッジ群３３を構成する単位カートリッジ３１、３１Ａ、３１Ｂの外径にあわせて設ける。
マガジンケース１１はこの実施例では長円形からなるが、カートリッジ群ガイド１３を挿入できればよいので、三角形、あるいは四角形等取り付けけるエアガンの形状に応じて形状は任意に選択可能である。
【００２４】
１４は蓋、１５はマガジンケース１１に設けられた開口部である。蓋１４は、開口部１５を開閉する。
マガジンケース１１は、空気等の気体で弾丸を発射するエアガン本体に挿入されてセットされる。あるいは、マガジンケース１１は、図２に図示されるようにマガジンスタンド２１に収納した上で、エアガン本体に挿入してセットしてもよい。
【００２５】
図８乃至図１１に図示される３１、３１Ａ、３１Ｂは、単位カートリッジである。単位カートリッジ３１は、先端単位カートリッジ３１Ａと、後端単位カートリッジ３１Ｂと、中間単位カートリッジ３１Ｃとからなる。単位カートリッジ３１（３１Ａ、３１Ｂ、３１Ｃ）は、中空円筒状部分３５を有し、中空円筒状部分３５内には中空部内３４を有する。中空部内３４内は、弾丸を収納可能な大きさからなる。
単位カートリッジ３１（３１Ａ、３１Ｂ、３１Ｃ）は、図８に図示されるように、中空部３４を有する筒状を２個並べて１単位とする。中間単位カートリッジ３１Ｃは、図８に図示されるように、中央部より先端側の外周は小径とされる小径部３６を有する。
図８に図示される５１は、コネクタである。コネクタ５１は、２個のリング５２を結合してなる。コネクタ５１の２個のリング５２は、内径は、単位カートリッジ３１、３１Ａ、３１Ｂ小径部３６の外径に合わせてある。
【００２６】
カートリッジ群３３の両端を構成する先端単位カートリッジ３１Ａと後端単位カートリッジ３１Ｂの単位カートリッジは、先端側の外周は小径とはしない。それより先に、単位カートリッジ３１（３１Ａ、３１Ｂ、３１Ｃ）を取り付けることはないため、コネクタ５１を取り付ける必要が無いためである。
隣接する単位カートリッジ３１、３１Ａ、３１Ｂの隣接する双方の中空部３４を有する中空円筒状部分３５先端の小径部３６にコネクタ５１を嵌めて結合し、単位カートリッジ３１（３１Ａ、３１Ｂ、３１Ｃ）は、コネクタ５１により相互に回動自在に連結されて、先端単位カートリッジ３１Ａと後端単位カートリッジ３１Ｂの両端部間にかけて中間単位カートリッジ３１Ｃが連続するカートリッジ群３３を帯状にまたキャタピラ状に形成する。
小径部３６とコネクタ５１との嵌合部を回転中心として、単位カートリッジ３１、３１Ａ、３１Ｂは、相互に回動自在となる。そのため、図５に図示されるように、全体として変形自在である。
【００２７】
先端単位カートリッジ３１Ａと、後端単位カートリッジ３１Ｂと、中間単位カートリッジ３１Ｃにおいて、３２は、係止部である。この実施例では、係止部３２は外側に突起する爪である。係止部３２は、単位カートリッジ３１表面に外側に向けて設けられる。
４１は、カートリッジ移動手段である。カートリッジ移動手段４１は、爪３２に係止されて、カートリッジ群３３を移動させる。
カートリッジ移動手段４１は、マガジンケース１１に取り付けられる。更に、エアガン本体に設けられたカートリッジ移動手段４１は、マガジンケース１１のカートリッジ群３３中の、先端単位カートリッジ３１Ａ、あるいは後端単位カートリッジ３１Ｂ、あるいは中間単位カートリッジ３１Ｃと、嵌合するように設けられる。
【００２８】
図６に図示されるように、カートリッジ移動手段４１は、爪３２を引掛けて、押し下げ、帯状のカートリッジ群３３を順次送り出す。カートリッジ移動手段４１は、図示しないエアガンのトリガーの作動と連動して駆動される。カートリッジ移動手段４１が駆動すると、カートリッジ群３３は先に進む。
【００２９】
装弾するにあたっては、カートリッジ群３３をマガジンケース１１から取出し、広げて単位カートリッジ３１（３１Ａ、３１Ｂ、３１Ｃ）に弾丸を中空部３４内に挿入する。
その後、図５に図示するように先端単位カートリッジ３１Ａを先端に、蓋１４を空けて開口された開口部１５からカートリッジ群３３をマガジンケース１１内に、図５に、２として図示される矢印方向に挿入する。
すると、図６に図示されるように、カートリッジ群３３は、長円形状にマガジンケース１１内に収納される。
カートリッジ群３３中の各単位カートリッジ３１（３１Ａ、３１Ｂ、３１Ｃ）から弾丸が無くなり、カートリッジ群３３をマガジンケース１１から取り出す時は逆の手順で図５に、１として図示される矢印方向に取り出しておこなう。
【００３０】
図１０、図１１は、第２実施例の斜視図をあらわす。第２実施例では、コネクタを用いることなく、隣接する単位カートリッジ３１相互で小径部３６を他方の順次嵌めて結合することにより相互に回動自在に直接連結してカートリッジ群３３を帯状にあるいはキャタピラ状に形成する。
すなわち、単位カートリッジ３１Ａ、３１Ｂ、３１Ｃは、図１０、図１１に図示されるように、中空部３４を有する筒状からなる中空円筒状部分３５Ａ、３５Ｂを２個並べて１単位とする。
中空円筒状部分３５Ａは、中空円筒状部分３５Ｂよりも長く形成する。単位カートリッジである先端単位カートリッジ３１Ａ、後端単位カートリッジ３１Ｂ、中間単位カートリッジ３１Ｃは、図１０に図示されるように、中央部より先端側の外周は小径とされる小径部３６を有する。
隣接する単位カートリッジ３１（３１Ａ、３１Ｂ、３１Ｃ）の小径部３６と隣接する単位カートリッジ３１（３１Ａ、３１Ｂ、３１Ｃ）との中空円筒状部分３５Ｂの嵌合部を回転中心として、単位カートリッジ３１（３１Ａ、３１Ｂ、３１Ｃ）は、相互に回動自在となる。そのため、図５に図示されるように、全体として変形自在である。
【００３１】
先端単位カートリッジ３１Ａと後端単位カートリッジ３１Ｂのカートリッジ群３３の両端を構成する単位カートリッジは、先端側の外周は小径とはしない。それより先に、単位カートリッジ３１、３１Ａ、３１Ｂを取り付ける必要が無いためである。
係止部３２は、図１０図中左側の単位カートリッジ３１Ｃにだけ設けるが、全ての単位カートリッジ３１Ａ、３１Ｂ、３１Ｃに設けても良い。
３７はフックである。フック３７は、小径部３６外周に外側に凸状に設けられる。
単位カートリッジ３１Ａ、３１Ｂ、３１Ｃの中空円筒状部分３５先端の小径部３６を、隣接する単位カートリッジ３１Ａ、３１Ｂ、３１Ｃの中空部３４に嵌めて結合し、単位カートリッジ３１（３１Ａ、３１Ｂ、３１Ｃ）は連結されて、先端単位カートリッジ３１Ａと後端単位カートリッジ３１Ｂの両端部間にかけて中間単位カートリッジ３１Ｃが帯状に連続するカートリッジ群３３を形成する。
単位カートリッジ３１Ａ、３１Ｂ、３１Ｃ相互の嵌合時にフック３７が節度感を持たせて嵌合させる。
第２実施例では、弾丸が挿入される単位カートリッジ３１Ａ、３１Ｂ、３１Ｃを、相互に回動自在に直接連結することでカートリッジ３１Ａ、３１Ｂ、３１Ｃが連続するカートリッジ群３３を帯状に形成する。
【００３２】
図１３乃至図１７は第３実施例をあらわす。第３実施例は、カートリッジ群３３Ａをエンドレス帯状あるいはキャタピラ状としている。
【００３３】
１１Ａは、マガジンケースである。マガジンケース１１Ａは、この実施例では中空状の長円形からなる。マガジンケース１１Ａは、図１４に図示されるように、夫々断面コ字状態で内部が凹んでいるマガジンケース構成部１１Ｂとマガジンケース構成部Ｃを相互に嵌合して組み立てる。
マガジンケース１１Ａの内部には、図１５に図示するように外周に沿って中空状に設けられた、カートリッジ群収納部１２Ａと、カートリッジ収納部１２Ａよりも内側に壁状に設けられて、カートリッジ収納部１２Ａと中心部とを区分するカートリッジ群ガイド１３Ａとを有する。カートリッジ群収納部１２Ａの幅は、収納されるカートリッジ群３３Ａを構成する単位カートリッジ３１Ｄの外径にあわせて設ける。
【００３４】
６１は、カートリッジ移動手段である。カートリッジ移動手段６１は、単位カートリッジ３１Ｄの送り機構である。カートリッジ移動手段６１は、第３実施例では、マガジンケース１１Ａの上端付近に設けられる回転軸からなる。カートリッジ移動手段６１の回転軸は、歯車状あるいは星形からなり、単位カートリッジ３１Ｄ外周の周と周の間の隙間に嵌るサイズの歯６２を複数個、この実施例では５個設ける。
カートリッジ移動手段６１が回転することで、隣接する単位カートリッジ３１Ｄと単位カートリッジ３１Ｄの間の溝３８にカートリッジ移動手段６１の歯６２が挟まってカートリッジ群３３Ａを移動させる。カートリッジ移動手段６１の回転に伴い、カートリッジ群３３Ａを一定方向に単位カートリッジ３１Ｄ１個分移動する。
第３実施例の溝３８は、第１実施例における係止部３２に該当し、同様の作用効果を有する。
カートリッジ移動手段６１が回転しすぎないように、歯６２以外に、クリックによる回転防止用の溝を施す。
カートリッジ移動手段６１はエアガンのトリガーと連動して単位カートリッジ３１Ｄを１個分づつ移動回転される。
【００３５】
６３は、カートリッジ移動補助手段である。カートリッジ移動補助手段６３は、マガジンケース１１Ａのカートリッジ移動手段６１が取り付ける端部とは反対側の端部に取り付けられる。カートリッジ移動補助手段６３は、回転軸からなり、回転の支障をきたさないように、ローラにより回転して抵抗を軽減させている。カートリッジ移動補助手段６３は、カートリッジ群３３Ａの撓みを防止するため、独立したサスペンションとなっており、スプリングでカートリッジ群３３Ａの撓みを張る構造となっている。
【００３６】
マガジンケース１１Ａは、空気等の気体で弾丸を発射するエアガン本体に挿入されてセットされる。あるいは、マガジンケース１１Ａは、図１３に図示されるようにマガジンスタンド２１Ａに収納した上で、エアガン本体に挿入してセットしてもよい。
【００３７】
３１Ｄは、単位カートリッジである。単位カートリッジ３１Ｄは、図１６、図１７に図示されるように、中空円筒状部分３５を有し、中空円筒状部分３５内には中空部内３４を有する。中空部内３４内は、弾丸を収納可能な大きさからなる。
単位カートリッジ３１Ｄは、中空部３４を有する筒状を２個並べて１単位とする。単位カートリッジ３１Ｄは、中央部より先端側の外周は小径とされる小径部３６を有する。
【００３８】
第３実施例では第２実施例同様、コネクタを用いることなく、隣接する単位カートリッジ３１Ｄ相互で小径部３６を他方の順次嵌めて結合することにより相互に回動自在に直接連結してカートリッジ群３３Ａをエンドレス帯状に形成する。
単位カートリッジ３１Ｄは、図１５、図１６に図示されるように、中空部３４を有する筒状からなる中空円筒状部分３５Ａ、３５Ｂを２個並べて１単位とする。
中空円筒状部分３５Ａは、中空円筒状部分３５Ｂよりも長く形成する。単位カートリッジ３１Ｄは、図１６、図１７に図示されるように、中央部より先端側の外周は小径とされる小径部３６を有する。
隣接する単位カートリッジ３１Ｄの小径部３６と隣接する単位カートリッジ３１Ｄとの中空円筒状部分３５Ｂの嵌合部を回転中心として、単位カートリッジ３１Ｄは、相互に回動自在となる。そのため、図１５に図示されるように、全体として長円形等変形自在である。
【００３９】
単位カートリッジ３１Ｄの中空円筒状部分３５Ａ先端の小径部３６を、先端の小径部３６を交互に逆向きに設置されて、先端を対向して設置された隣接する単位カートリッジ３１Ｄの中空円筒状部分３５Ｂの中空部３４に嵌めて結合し、単位カートリッジ３１Ｄは図１５に図示されるように連結されてエンドレス帯状に連続するカートリッジ群３３Ａを形成する。
単位カートリッジ３１Ｄ相互の嵌合時にフック３７が節度感を持たせて嵌合させる。
第３実施例では、弾丸が挿入される単位カートリッジ３１Ｄを、相互に回動自在に直接連結することでカートリッジ３１Ｄが連続するカートリッジ群３３Ａを帯状あるいはキャタピラ状に形成する。
【００４０】
各単位カートリッジ３１Ｄに装弾するにあたっては、マガジンケース構成部１１Ｂとマガジンケース構成部Ｃとの相互の嵌合を解除しマガジンケース１１内部を露出させる。
ついで、カートリッジ群３３Ａをマガジンケース１１から取出し、広げて各単位カートリッジ３１Ｄ内の中空部３４内に弾丸を挿入する。
その後、図１５に図示するようにカートリッジ群３３Ａを長円形状からなるマガジンケース１１Ａ内に収納する。カートリッジ群３３Ａのマガジンケース１１Ａ内への収納時には、上端に位置する単位カートリッジ３１Ｄは、図１５に図示される様にマガジンケース１１Ａから露出して、エアガン本体へ弾丸を供給可能とする。下端に位置する単位カートリッジ３１Ｄも図１４に図示されるように露出する。
カートリッジ群３３Ａ中の各単位カートリッジ３１Ｄから弾丸が無くなり、カートリッジ群３３Ａをマガジンケース１１から取り出す時は逆の手順で取り出す。
【００４１】
マガジンケース１１Ａをエアガン本体にセットし、ついで、エアガンのトリガーの作動と連動して回転されるカートリッジ移動手段６１が回転することで、隣接する単位カートリッジ３１Ｄと単位カートリッジ３１Ｄの間の溝３８にカートリッジ移動手段６１の歯６２が挟まってカートリッジ移動手段６１を回転させる。カートリッジ移動手段６１の回転に伴い、エンドレス帯状のカートリッジ群３３Ａを一定方向に単位カートリッジ３１Ｄ１個分づつ移動する。
【００４２】
第３実施例では、弾丸が挿入される単位カートリッジ３１Ｄを、相互に回動自在に連結することで単位カートリッジ３１Ｄが連続するカートリッジ群３３Ａを形成するため、カートリッジは変形自在に連結され、カートリッジ群は変形自在であるため、エンドレス帯状を形成することが可能である。
【００４３】
図１８、図１９に基づき、この発明の実施の形態に係る第４実施例について説明する。第４実施例は、第１実施例における先端単位カートリッジ３１Ａ及び後端単位カートリッジ３１Ｂの代わりに、全て中間単位カートリッジ３１Ｃを用いる。そして、両端に位置する小径部３６をリング５２に嵌合することで、カートリッジ群３３をエンドレス状態にする。
【００４４】
図２０、図２１に基づき、この発明の実施の形態に係る第５実施例について説明する。第５実施例は、第２実施例に係るエアガンの単位カートリッジに相当する。
第１実施例における先端単位カートリッジ３１Ａ及び後端単位カートリッジ３１Ｂの代わりに、全て単位カートリッジ３１Ｃを用いる。そして、両端に位置する小径部３６を中空円筒状部分３５Ｂの中空部３４に嵌合することで、カートリッジ群３３をエンドレス状態にする。
【符号の説明】
【００４５】
１１  マガジンケース
３１    単位カートリッジ
３１Ａ  先端単位カートリッジ
３１Ｂ  後端単位カートリッジ
３１Ｃ  中間単位カートリッジ
３１Ｄ  単位カートリッジ
３３    カートリッジ群
３３Ａ  カートリッジ群
４１  カートリッジ移動手段
６１  カートリッジ移動手段
【図１】
0006418862.tif 000002
【図２】
0006418862.tif 000003
【図３】
0006418862.tif 000004
【図４】
0006418862.tif 000005
【図５】
0006418862.tif 000006
【図６】
0006418862.tif 000007
【図７】
0006418862.tif 000008
【図８】
0006418862.tif 000009
【図９】
0006418862.tif 000010
【図１０】
0006418862.tif 000011
【図１１】
0006418862.tif 000012
【図１２】
0006418862.tif 000013
【図１３】
0006418862.tif 000014
【図１４】
0006418862.tif 000015
【図１５】
0006418862.tif 000016
【図１６】
0006418862.tif 000017
【図１７】
0006418862.tif 000018
【図１８】
0006418862.tif 000019
【図１９】
0006418862.tif 000020
【図２０】
0006418862.tif 000021
【図２１】
0006418862.tif 000022